(57)【要約】【課題】本発明の課題は、簡便な仕組みによって面倒な操作をすることなく、選択された画面の一部から携帯端末装置で見やすい画像を作成して、近距離無線通信により配信するシステムを提供することである。【解決手段】付箋画像を表示部に表示し、付箋配信指示の入力を受け付けて、近距離無線通信接続した携帯端末装置が送信した機種情報を受信し、記憶部が記憶する表示寸法情報を抽出し、付箋画像を携帯画面に見やすく収まるように拡大または縮小して表示画像データを作成し、近距離無線通信接続した携帯端末装置に送信する情報処理装置と、記憶部が記憶する機種情報を、近距離無線通信接続した情報処理装置に送信し、情報処理装置が送信する表示画像データを受信表示する携帯端末装置と、が近距離無線通信接続されて構成されることを特徴とする表示画像配信システムである。【選択図】図１
2009194478.tif 000002
【特許請求の範囲】
【請求項１】
携帯端末装置と表示部を有する情報処理装置とが近距離無線通信接続されて構成される画像配信システムであって、
前記情報処理装置は、
機種情報を含む表示寸法情報を記憶する記憶部と、
付箋データの入力を受け付けて、付箋画像を作成して、これを表示する付箋画像作成手段と、
付箋配信指示の入力を受け付けて、付箋画像を保持する付箋配信指示手段と、
近距離無線通信接続した携帯端末装置が送信した機種情報を受信する機種情報受信手段と、
機種情報受信が受信した機種情報を用いて、記憶部が記憶する表示寸法情報の機種情報を参照して、両者が一致する機種情報の表示寸法情報を抽出する表示寸法抽出手段と、
表示寸法抽出手段が抽出した表示寸法情報を用いて、付箋配信指示手段が保持した付箋画像に対して、携帯画面に見やすく収まるように拡大または縮小して表示画像データを作成する表示画像作成手段と、
表示画像作成手段が作成した表示画像データを、近距離無線通信接続した携帯端末装置に送信する表示画像送信手段と、
を備える処理装置であって、
前記携帯端末装置は、
機種情報を記憶する記憶部と、
記憶部が記憶する機種情報を、近距離無線通信接続した情報処理装置に送信する機種情報送信手段と、
情報処理装置が送信する表示画像データを受信する表示画像受信手段と、
表示画像データを表示する表示手段と、
を備える端末装置である
ことを特徴とする表示画像配信システム。
【請求項２】
携帯端末装置と表示部を有する情報処理装置とが近距離無線通信接続されて構成される画像配信システムであって、
前記情報処理装置は、
機種情報を含む表示寸法情報と、
デスクトップの識別情報を取得するデスクトップ識別情報取得関数と、デスクトップを構成する素材データを管理するデータベースの識別情報を取得する素材データベース識別情報取得関数と、表示画面上でマウスのカーソル位置を取得するカーソル位置取得関数と、デスクトップの指定した領域の画像を作成する画像作成関数とを含んで構成されている関数ライブラリと表示寸法情報とを記憶する記憶部と、
切取画面配信指示の入力を受け付ける画面配信指示手段と、
デスクトップ識別情報取得関数を呼び出して、デスクトップを識別する情報を取得し、
素材データベース識別情報取得関数を呼び出して、デスクトップ識別情報取得関数から取得したデスクトップを識別する情報を引き渡し、デスクトップを構成する素材データを管理するデータベースの識別情報を取得し、
カーソル位置取得関数を呼び出して、デスクトップ画面の指定した領域に対して入力された座標情報を取得し、
画像作成関数を呼び出して、素材データベース識別情報取得関数から取得したデスクトップを構成する素材データを管理するデータベースの識別情報と、カーソル位置取得関数から取得したデスクトップ画面に対して入力された指定領域の座標情報と、を引き渡し、デスクトップの指定した領域の画像を取得し、
画像作成関数から取得したデスクトップの指定した領域の画像を含む切取画面データを作成する画像切取手段と、
近距離無線通信接続した携帯端末装置が送信した機種情報を受信する機種情報受信手段と、
機種情報受信が受信した機種情報を用いて、記憶部が記憶する表示寸法情報の機種情報を参照して、両者が一致する機種情報の表示寸法情報を抽出する表示寸法抽出手段と、
表示寸法抽出手段が抽出した表示寸法情報を用いて、画像切取手段が作成した切取画面データに対して、携帯画面に見やすく収まるように拡大または縮小して表示画像データを作成する画像作成手段と、
画像作成手段が作成した表示画像データを近距離無線通信接続した携帯端末装置に送信する表示画像送信手段
を備える処理装置であって、
前記携帯端末装置は、機種情報を記憶する記憶部と、
記憶部が記憶する機種情報を、近距離無線通信接続した情報処理装置に送信する機種情報送信手段と、
情報処理装置が送信する表示画像データを受信する表示画像受信手段と、
表示画像データを表示する表示手段と、
を備える端末装置である
ことを特徴とする表示画像配信システム。
【請求項３】
携帯端末装置と表示部を有する情報処理装置とが近距離無線通信接続されて構成される表示画像配信方法であって、
機種情報を含む表示寸法情報を用いる表示画像配信方法において、
（１）情報処理装置が、付箋データの入力を受け付けて、付箋画像を作成して、これを表示する付箋画像作成表示ステップと、
（２）情報処理装置が、付箋配信指示の入力を受け付けて、付箋画像を保持する付箋配信指示ステップと、
（３）携帯端末装置が、情報処理装置に接近したことを検知して近距離無線通信接続して、記憶部に記憶する機種情報を情報処理装置に送信する機種情報送信ステップと、
（４）情報処理装置が、近距離無線通信接続した携帯端末装置から送信された機種情報を受信して、受信した機種情報を用いて、記憶部が記憶する表示寸法情報の機種情報を参照して、両者が一致する機種情報の表示寸法情報を抽出する表示寸法情報抽出ステップと、
（５）情報処理装置が、抽出した表示寸法情報を用いて、付箋配信指示ステップで保持された付箋画像に対して、携帯画面に見やすく収まるように拡大または縮小して表示画像データを作成する表示画像作成ステップと、
（６）情報処理装置が、表示画像作成ステップで作成された表示画像データを近距離無線通信接続した携帯端末装置に送信する表示画像送信ステップと、
（７）携帯端末装置が、近距離無線通信接続して送信された表示画像データを受信して保持表示する表示画像受信ステップと、
を含んだ手順でなされることを特徴とする表示画像配信方法。
【請求項４】
携帯端末装置と表示部を有する情報処理装置とが近距離無線通信接続されて構成される表示画像配信方法であって、
機種情報を含む表示寸法情報と、
デスクトップの識別情報を取得するデスクトップ識別情報取得関数と、デスクトップを構成する素材データを管理するデータベースの識別情報を取得する素材データベース識別情報取得関数と、表示画面上でマウスのカーソル位置を取得するカーソル位置取得関数と、デスクトップの指定した領域の画像を作成する画像作成関数とを含んで構成されている関数ライブラリと機種情報と関連付けた表示寸法情報を用いる表示画像配信方法において、
（１）切取画面配信指示の入力を受け付ける画面配信指示ステップと、
（２）情報処理装置が、関数ライブラリの関数を用いて、
（１−１）デスクトップ識別情報取得関数を呼び出して、デスクトップを識別する情報を取得するデスクトップ識別情報取得ステップと、
（１−２）素材データベース識別情報取得関数を呼び出して、デスクトップ識別情報取得関数から取得したデスクトップを識別する情報を引き渡し、デスクトップを構成する素材データを管理するデータベースの識別情報を取得するデスクトップ表示素材データベース識別情報取得ステップと、
（１−３）カーソル位置取得関数を呼び出して、デスクトップ画面の指定した領域に対して入力された座標情報を取得する指定領域座標取得ステップと、
（１−４）画像作成関数を呼び出して、素材データベース識別情報取得関数から取得したデスクトップを構成する素材データを管理するデータベースの識別情報と、カーソル位置取得関数から取得したデスクトップ画面に対して入力された指定領域の座標情報と、を引き渡し、デスクトップの指定した領域の画像を取得するデスクトップ指定領域画像取得ステップと、
（１−５）画像作成関数から取得したデスクトップの指定した領域の画像を含む切取画面データを作成する切取画面作成ステップと、
から構成される画像切取ステップと、
（３）携帯端末装置が、情報処理装置に接近したことを検知して近距離無線通信接続して、記憶部に記憶する機種情報を情報処理装置に送信する機種情報送信ステップと、
（４）情報処理装置が、近距離無線通信接続した携帯端末装置から送信された機種情報を受信する機種情報受信ステップと、
（５）情報処理装置が、受信した機種情報を用いて、記憶部が記憶する表示寸法情報を参照して、この受信した機種情報に関連付けられた表示寸法情報を抽出して、これを用いて、画像切取ステップで作成した切取画面データに対して、携帯画面に見やすく収まるように拡大または縮小して表示画像データを作成する表示画像作成ステップと、
（６）情報処理装置が、画像作成ステップで作成された表示画像データを近距離無線通信接続した携帯端末装置に送信する表示画像送信ステップと、
（７）携帯端末装置が、近距離無線通信接続して送信された表示画像データを受信して保持表示する表示画像受信ステップと、
を含んだ手順でなされることを特徴とする表示画像配信方法。
【請求項５】
コンピュータに組込むことによって、コンピュータを請求項１または請求項２に記載の表示画像配信システムとして動作させるコンピュータプログラム。
【請求項６】
請求項５に記載のコンピュータプログラムを記録したコンピュータ読取り可能な記録媒体。
【発明の詳細な説明】
【技術分野】
【０００１】
本発明は、装置間の近距離無線通信を用いて、表示している画面の画像を配布するシステム、およびその方法、プログラム、媒体に関するものである。
本発明は特にパソコン画面を携帯電話にコピーしてメモとして用いるときに有用である。
【背景技術】
【０００２】
現代の企業活動においては、業務に関するあらゆる情報が電子化されて管理されており、これらの情報を常に身近に置き、いつでも閲覧できるように情報携帯機器を所持することが益々重要となっている。
外出時に情報携帯機器を用いて、特に、行動予定や訪問先や備忘録などの情報を外部に持ち出す方法とその問題点を以下に説明する。
《１．紙に記録》
・電子情報を手帳などに手書きする。
・電子情報を紙に印刷する。
外出時に紙に手書き作業や印刷作業をする煩わしさがある。
《２．画面撮影》
パソコンの画面に表示した情報を携帯電話のカメラで撮影して保存する。
パソコンの画面反射や画面角度を考慮した撮影は、撮影技術を要するので、解像度の高い画像を撮ることは非常に難しい。
【０００３】
《３．画面を携帯機器に送信》
パソコン画面の画面データを作成し、これを電子メールに添付して携帯端末に送信する。
たとえば、特許文献１では、画像配信装置２が、外部装置（たとえばパソコン）から元画像２００を入手して、元画像に対して指定されたエリアの画像から携帯電話機３の画面の大きさに合う配信用画像を生成して、携帯電話機７に配信する技術が開示されている。
《４．テキスト情報を携帯機器に送信》
持ち出したい画面表示部分が主に文字情報で構成されていた場合には、その内容をテキストに書き出す。
たとえば、特許文献２では、表示画面上に表示された文字画像からＯＣＲにより文字コードを生成して、文字データを提供する技術が開示されている。
あるいは、非特許文献１では、パソコンが管理する個人管理情報（スケジュールやメールアドレスなど）を携帯電話で共有して利用する技術が開示されている。
【特許文献１】特開２００５−６１８２号公報（段落００２１−段落００３５、図１）
【特許文献２】特許第３３８２０７１号公報（段落００７１、図９（ｂ））
【非特許文献１】ノキア・ジャパン株式会社、？Nokia PC Suite″、［online］、［平成２０年１月１０日検索］、インターネット〈URL: http://www.nokia.co.jp/support/software/pcsuite/index.shtml〉
【発明の開示】
【発明が解決しようとする課題】
【０００４】
しかしながら、特許文献１の技術では、パソコンの画面画像を画像配信装置に送信しなければならず、作業が煩雑で機動性に欠ける。
また、特許文献１の技術では、画像配信装置を使用した大掛かりな仕組みであり、さらに、画像配信装置を携帯電話機に電話接続する通信環境を整える必要があり、装置環境整備の負荷が大きい。
あるいは、特許文献２の技術では、文字だけしか扱えず画像を扱うことができないので、利便性が損なわれる。
あるいは、非特許文献１の技術では、携帯電話がパソコンと同じ機能を有するソフトウエアを備えることが必須条件であるために、利用できる携帯電話が限定されてしまう欠点がある。
【０００５】
本発明は以上のような点を解決するためになされたものであって、本発明の課題は、簡便な仕組みによって面倒な操作をすることなく、選択された画面の一部から携帯端末装置で見やすい画像を作成して、近距離無線通信により配信するシステム、およびその方法、プログラム、媒体を提供することである。
【課題を解決するための手段】
【０００６】
本発明は、以下の各態様に記載の手段により、前記課題を解決する。
すなわち、本願発明の第１の発明は、携帯端末装置と表示部を有する情報処理装置とが近距離無線通信接続されて構成される画像配信システムであって、前記情報処理装置は、機種情報を含む表示寸法情報を記憶する記憶部と、付箋データの入力を受け付けて、付箋画像を作成して、これを表示する付箋画像作成手段と、付箋配信指示の入力を受け付けて、付箋画像を保持する付箋配信指示手段と、近距離無線通信接続した携帯端末装置が送信した機種情報を受信する機種情報受信手段と、機種情報受信が受信した機種情報を用いて、記憶部が記憶する表示寸法情報の機種情報を参照して、両者が一致する機種情報の表示寸法情報を抽出する表示寸法抽出手段と、表示寸法抽出手段が抽出した表示寸法情報を用いて、付箋配信指示手段が保持した付箋画像に対して、携帯画面に見やすく収まるように拡大または縮小して表示画像データを作成する表示画像作成手段と、表示画像作成手段が作成した表示画像データを、近距離無線通信接続した携帯端末装置に送信する表示画像送信手段と、を備える処理装置であって、前記携帯端末装置は、機種情報を記憶する記憶部と、記憶部が記憶する機種情報を、近距離無線通信接続した情報処理装置に送信する機種情報送信手段と、情報処理装置が送信する表示画像データを受信する表示画像受信手段と、表示画像データを表示する表示手段と、を備える端末装置であることを特徴とする表示画像配信システムである。
【０００７】
このように、情報処理装置の画面に表示された付箋部分を、携帯端末装置の画面に丁度良い大きさに収まるように寸法が調整された画像にして近距離無線通信で配信することが可能である。
【０００８】
本願発明の第２の発明は、携帯端末装置と表示部を有する情報処理装置とが近距離無線通信接続されて構成される画像配信システムであって、前記情報処理装置は、機種情報を含む表示寸法情報と、デスクトップの識別情報を取得するデスクトップ識別情報取得関数と、デスクトップを構成する素材データを管理するデータベースの識別情報を取得する素材データベース識別情報取得関数と、表示画面上でマウスのカーソル位置を取得するカーソル位置取得関数と、デスクトップの指定した領域の画像を作成する画像作成関数とを含んで構成されている関数ライブラリと表示寸法情報とを記憶する記憶部と、切取画面配信指示の入力を受け付ける画面配信指示手段と、デスクトップ識別情報取得関数を呼び出して、デスクトップを識別する情報を取得し、素材データベース識別情報取得関数を呼び出して、デスクトップ識別情報取得関数から取得したデスクトップを識別する情報を引き渡し、デスクトップを構成する素材データを管理するデータベースの識別情報を取得し、カーソル位置取得関数を呼び出して、デスクトップ画面の指定した領域に対して入力された座標情報を取得し、画像作成関数を呼び出して、素材データベース識別情報取得関数から取得したデスクトップを構成する素材データを管理するデータベースの識別情報と、カーソル位置取得関数から取得したデスクトップ画面に対して入力された指定領域の座標情報と、を引き渡し、デスクトップの指定した領域の画像を取得し、画像作成関数から取得したデスクトップの指定した領域の画像を含む切取画面データを作成する画像切取手段と、近距離無線通信接続した携帯端末装置が送信した機種情報を受信する機種情報受信手段と、機種情報受信が受信した機種情報を用いて、記憶部が記憶する表示寸法情報の機種情報を参照して、両者が一致する機種情報の表示寸法情報を抽出する表示寸法抽出手段と、表示寸法抽出手段が抽出した表示寸法情報を用いて、画像切取手段が作成した切取画面データに対して、携帯画面に見やすく収まるように拡大または縮小して表示画像データを作成する画像作成手段と、画像作成手段が作成した表示画像データを近距離無線通信接続した携帯端末装置に送信する表示画像送信手段を備える処理装置であって、
前記携帯端末装置は、機種情報を記憶する記憶部と、記憶部が記憶する機種情報を、近距離無線通信接続した情報処理装置に送信する機種情報送信手段と、情報処理装置が送信する表示画像データを受信する表示画像受信手段と、表示画像データを表示する表示手段と、を備える端末装置であることを特徴とする表示画像配信システムである。
【０００９】
このように、情報処理装置のデスクトップ画面の指定領域部分を、携帯端末装置の画面に丁度良い大きさに収まるように寸法が調整された画像にして近距離無線通信で配信することが可能である。
【００１０】
本願発明の第３の発明は、携帯端末装置と表示部を有する情報処理装置とが近距離無線通信接続されて構成される表示画像配信方法であって、機種情報を含む表示寸法情報を用いる表示画像配信方法において、（１）情報処理装置が、付箋データの入力を受け付けて、付箋画像を作成して、これを表示する付箋画像作成表示ステップと、（２）情報処理装置が、付箋配信指示の入力を受け付けて、付箋画像を保持する付箋配信指示ステップと、（３）携帯端末装置が、情報処理装置に接近したことを検知して近距離無線通信接続して、記憶部に記憶する機種情報を情報処理装置に送信する機種情報送信ステップと、（４）情報処理装置が、近距離無線通信接続した携帯端末装置から送信された機種情報を受信して、受信した機種情報を用いて、記憶部が記憶する表示寸法情報の機種情報を参照して、両者が一致する機種情報の表示寸法情報を抽出する表示寸法情報抽出ステップと、（５）情報処理装置が、抽出した表示寸法情報を用いて、付箋配信指示ステップで保持された付箋画像に対して、携帯画面に見やすく収まるように拡大または縮小して表示画像データを作成する表示画像作成ステップと、（６）情報処理装置が、表示画像作成ステップで作成された表示画像データを近距離無線通信接続した携帯端末装置に送信する表示画像送信ステップと、（７）携帯端末装置が、近距離無線通信接続して送信された表示画像データを受信して保持表示する表示画像受信ステップと、を含んだ手順でなされることを特徴とする表示画像配信方法である。
【００１１】
本願発明の第４の発明は、携帯端末装置と表示部を有する情報処理装置とが近距離無線通信接続されて構成される表示画像配信方法であって、機種情報を含む表示寸法情報と、デスクトップの識別情報を取得するデスクトップ識別情報取得関数と、デスクトップを構成する素材データを管理するデータベースの識別情報を取得する素材データベース識別情報取得関数と、表示画面上でマウスのカーソル位置を取得するカーソル位置取得関数と、デスクトップの指定した領域の画像を作成する画像作成関数とを含んで構成されている関数ライブラリと機種情報と関連付けた表示寸法情報を用いる表示画像配信方法において、（１）切取画面配信指示の入力を受け付ける画面配信指示ステップと、（２）情報処理装置が、関数ライブラリの関数を用いて、（１−１）デスクトップ識別情報取得関数を呼び出して、デスクトップを識別する情報を取得するデスクトップ識別情報取得ステップと、（１−２）素材データベース識別情報取得関数を呼び出して、デスクトップ識別情報取得関数から取得したデスクトップを識別する情報を引き渡し、デスクトップを構成する素材データを管理するデータベースの識別情報を取得するデスクトップ表示素材データベース識別情報取得ステップと、（１−３）カーソル位置取得関数を呼び出して、デスクトップ画面の指定した領域に対して入力された座標情報を取得する指定領域座標取得ステップと、（１−４）画像作成関数を呼び出して、素材データベース識別情報取得関数から取得したデスクトップを構成する素材データを管理するデータベースの識別情報と、カーソル位置取得関数から取得したデスクトップ画面に対して入力された指定領域の座標情報と、を引き渡し、デスクトップの指定した領域の画像を取得するデスクトップ指定領域画像取得ステップと、（１−５）画像作成関数から取得したデスクトップの指定した領域の画像を含む切取画面データを作成する切取画面作成ステップと、から構成される画像切取ステップと、（３）携帯端末装置が、情報処理装置に接近したことを検知して近距離無線通信接続して、記憶部に記憶する機種情報を情報処理装置に送信する機種情報送信ステップと、（４）情報処理装置が、近距離無線通信接続した携帯端末装置から送信された機種情報を受信する機種情報受信ステップと、（５）情報処理装置が、受信した機種情報を用いて、記憶部が記憶する表示寸法情報を参照して、この受信した機種情報に関連付けられた表示寸法情報を抽出して、これを用いて、画像切取ステップで作成した切取画面データに対して、携帯画面に見やすく収まるように拡大または縮小して表示画像データを作成する表示画像作成ステップと、（６）情報処理装置が、画像作成ステップで作成された表示画像データを近距離無線通信接続した携帯端末装置に送信する表示画像送信ステップと、（７）携帯端末装置が、近距離無線通信接続して送信された表示画像データを受信して保持表示する表示画像受信ステップと、を含んだ手順でなされることを特徴とする表示画像配信方法である。
【００１２】
本願発明の第５の発明は、コンピュータに組込むことによって、コンピュータを請求項１または請求項２に記載の表示画像配信システムとして動作させるコンピュータプログラムである。
【００１３】
本願発明の第５の発明は、請求項４に記載のコンピュータプログラムを記録したコンピュータ読取り可能な記録媒体である。
【発明の効果】
【００１４】
本願発明によれば、
（１）携帯端末装置にて見やすい表示画像を、情報処理装置だけで作成することが可能である。
（２）近距離無線通信により、面倒な操作をすることなく簡単に表示画像を情報処理装置から携帯端末装置に送信することが可能である。
【発明を実施するための最良の形態】
【００１５】
以下、図面等を参照しながら、本発明の実施の形態について、更に詳しく説明する。
【００１６】
図１は、本発明による表示画像配信システム１の概要を説明する図である。
本発明による画像配信システム１は、情報処理装置１００と携帯端末装置３００とが近距離無線通信接続されて構成される。
本発明による画像配信システム１は、情報処理装置１００で選択された画面の一部を、携帯端末装置３００で見やすく表示できるように表示寸法を調整して、これを携帯端末装置３００に近距離無線通信にて送信する。
【００１７】
ここで、近距離無線通信の通信規格は、IEEE802.15 （Bluetoothなど）や、IEEE802.11 （Wi-Fi）や、ISO/IEC 21481などである。
【００１８】
情報処理装置１００は、既存のアプリケーションプログラムを備えたパーソナルコンピュータに後述する専用プログラムを搭載したものである。
情報処理装置１００は、近距離無線通信接続装置を有する。
【００１９】
携帯端末装置３００は、携帯電話やＰＤＡ（Personal Digital Assistantの略。携帯情報端末装置）やスマートフォンに後述する専用プログラムを搭載したものである。
管理装置３００は、近距離無線通信接続装置を有する。
【００２０】
図２は表示画像配信システム１の大まかな処理の流れを説明する。
《１．画面配信の指示》
情報処理装置１００の利用者が表示画面の所定の領域の送信指示を入力する（図２（１））。
《２．近距離無線通信路の開設》
情報処理装置の利用者は、携帯端末装置３００を情報処理装置１００に近づける（同（２））。
携帯端末装置３００と情報処理装置１００とは、互いを検知して近距離無線通信路の開設する（同（３））。
《３．画像データ配信》
情報処理装置１００は、所定の領域の表示画像データを作成して、開設した近距離無線通信路を用いて送信する（同（４）））。
携帯端末装置３００は、開設された近距離無線通信路を用いて、送信された表示画像データを受信して保存・表示する（同（５））。
【００２１】
情報処理装置１００と携帯端末装置３００とは、相互認証してから、表示画像データを送受信してもよい。
【００２２】
図３は、情報処理装置１００と携帯端末装置３００の画面を説明する図である。
図３の（ａ）は、情報処理装置１００の付箋を含む画面１９３ａを説明する図である。
図３の（ａ）には、付箋を含む画面１９３ａが例示されている。
付箋を含む画面１９３ａは、枠罫線１ｄを有する付箋と、配信指示アイコン１ｂと、から構成されている画面が表示されている。
付箋は、「テキスト（Ａ社＝10:00、Ｂ社＝13:30）が割り付けたられた状態のもの」である。
枠罫線１ｄは、付箋領域を示す囲罫線である。
配信指示アイコン１ｂは、付箋を携帯端末装置に配信することを指示するアイコンである。
【００２３】
図３の（ｂ）は、携帯端末装置３００の付箋画面１９４ａを説明する図である。
図３の（ｂ）には、携帯端末装置３００の付箋画面１９４ａが例示されている。
付箋画面１９４ａは、付箋が画面に丁度一杯になるような表示画像データが表示されている。
表示画像データは、図３の（ａ）で説明した付箋を含む画面１９４ａの付箋領域「（テキスト（Ａ社＝10:00、Ｂ社＝13:30）が割り付けたられた状態のもの）が、携帯端末装置の画面に丁度収まるように画面の寸法に調整されたビットマップデータである。
【００２４】
図４は、パーソナルコンピュータ１００の画面を携帯電話３００に配信する処理の流れを説明する図である。
《１．画面配信の指示》
パーソナルコンピュータの利用者が画面データが入力したデータを受け付けて、付箋を作成して表示する（図４（１−１））。
利用者がパーソナルコンピュータの画面に表示された配信指示アイコン１ｂを用いて付箋の配信指示を入力すると、パーソナルコンピュータ１００は、付箋画面データを作成する（同（１−２））。
【００２５】
《２．近距離無線通信路の開設》
パーソナルコンピュータの利用者は、携帯電話３００をパーソナルコンピュータ１００に近づける（同（２））。
パーソナルコンピュータ１００と携帯電話３００とは、互いに接近を検知して近距離無線通信路を開設する（同（３））。
【００２６】
《３．表示画像データ配信》
携帯電話３００は、開設された近距離無線通信路を用いて、携帯電話の機種情報を送信する（同（４−１））。
パーソナルコンピュータ１００は、開設された近距離無線通信路を用いて、送信された機種情報を受信する（同（４−２））。
パーソナルコンピュータ１００は、受信した機種情報を用いて携帯電話の表示サイズを調べて、決定する（同（４−３））。
パーソナルコンピュータ１００は、作成された付箋画面データを用いて、携帯電話の表示サイズに丁度収まって見やすく表示できるように寸法を調整した表示画像データを作成する（同（４−４））。
パーソナルコンピュータ１００は、開設された近距離無線通信路を用いて、作成した表示画像データを送信する（同（４−５）。
携帯電話３００は、開設された近距離無線通信路を用いて送信された表示画像データを受信する（同（５−１）
携帯電話３００は、受信した表示画像を表示し、保持する（同（５−２）
【００２７】
図５は、パーソナルコンピュータ１００の詳細な構成図である。
パーソナルコンピュータ１００は、ＣＰＵ１０１と、入力部１０２と、表示部１０３と、近距離無線通信部１０４と、記憶部１０９と専用プログラムを備える。
【００２８】
ＣＰＵ１０１は、中央演算処理装置である。
入力部１０２は、マウスやキーボードである。
表示部１０３は、ＬＣＤ（液晶表示デバイス）やＥＬ（有機エレクトロルミネッセンス）ディスプレーである。
【００２９】
近距離無線通信部１０４は、近距離無線送受信装置である。
近距離無線通信部１０４は、アンテナ１０５を有する。
近距離無線通信部１０４は、受信した電磁波（＝無線電波）を復調して、制御信号を取り出す。あるいは、電磁波を送出するための搬送波を発生させ、デジタル情報を電波に変換する。無線電波は、ＵＨＦ帯である。
アンテナ１０５は、無線電波を送受信する。
近距離無線通信部１０４は、他の近距離無線通信部が送信する無線電波を受信して、近距離無線通信路を開設する。
なお、無線電波の近距離無線通信規格は、IEEE802.15、IEEE802.11、ISO/IEC 21481などを用いる。
【００３０】
記憶部１０９は、半導体メモリや磁気メモリである。記憶部１０９は、表示寸法情報１９７を記憶する。
表示寸法情報１９７は、機種情報を含む情報である。
【００３１】
このほかに、付箋画像作成手段１６０と、付箋配信指示手段１６５と、画像切取手段１１０と、機種情報受信手段１５０と、表示寸法抽出手段１２０と、表示画像作成手段１３０と、表示画像送信手段１４０と、を備える。これらの各手段は、それぞれの専用プログラムとして実現され、専用プログラムがＣＰＵ１０１に解釈・実行されることによって機能する。
【００３２】
付箋画像作成手段１６０は、入力部１０２から入力された付箋作成指示を受け付けて、付箋画像を作成して、これを表示部１０３に表示する。
付箋配信指示手段１６５は、配信指示アイコン１ｂを用いて入力された付箋配信指示を受け付けて、付箋画像を保持する。
【００３３】
機種情報受信手段１５０は、近距離無線通信接続した携帯端末装置３００（たとえば、携帯電話）が送信した機種情報を受信する。
表示寸法抽出手段１２０は、機種情報受信手段１５０が受信した機種情報を用いて、記憶部１０９が記憶する表示寸法情報１９７を参照して、この受信した機種情報に関連付けられた表示寸法情報（たとえば、画面のサイズや画面解像度などの情報。あるいは、表示画素数情報など）を抽出する。
【００３４】
表示画像作成手段１３０は、表示寸法抽出手段１２０が抽出した表示寸法情報を用いて、付箋配信指示手段１６５が保持した付箋画像に対して、携帯画面に見やすく収まるように拡大または縮小して表示画像データを作成する。
【００３５】
表示画像送信手段１４０は、表示画像作成手段１３０が作成した表示画像データを近距離無線通信接続した携帯端末装置３００に送信する。
【００３６】
次に、図６から図８を用いて、表示画像作成処理のフローチャートを説明する。
【００３７】
図６は、表示画像作成処理のゼネラル・フローチャートである。
（１）表示画像作成手段１３０は、付箋画像作成手段１６０が作成した付箋画面データの縦横寸法を調べる。（ステップＳ１００）
（２）付箋画面データの縦横寸法を、表示寸法抽出手段１２０が抽出した表示寸法情報と比較して、携帯端末装置の画面に収まるか否かを判定する。付箋画面データが収まる場合には、ステップＳ１２０に進む。付箋画面データが収まらない場合には、ステップＳ１３０に進む。（ステップＳ１１０）
（３）画像作成手段１３０は、画像拡大処理を行なって終了する。（ステップＳ１２０）
（４）画像作成手段１３０は、画像圧縮処理を行なって終了する。（ステップＳ１３０）
【００３８】
なお、付箋画面データの縦横寸法情報としては、付箋画面データの長さ情報（付箋画面データの縦長さ×付箋画面データの横長さ）を用いてもよいし、付箋画面データの画素数（＝付箋画面データの縦画素数×付箋画面データの横画素数）を用いてもよい。
【００３９】
図７は、画像の拡大処理のフローチャートである。
（１）画像作成手段１３０は、表示寸法の横幅に収める拡大率（＝横拡大率）を算出する。（ステップＳ２００）
なお、横拡大率の算出式は、「横拡大率＝表示の横寸法／付箋画面データの横長さ」である。
（２）画像作成手段１３０は、表示寸法の縦高さに収める拡大率（＝縦拡大率）を算出する。（ステップＳ２１０）
なお、縦拡大率の算出式は、「縦拡大率＝表示の縦寸法／付箋画面データの縦長さ」である。
（３）横拡大率≦縦拡大率か否かを判定する。横拡大率が縦拡大率より小さい場合には、ステップＳ２３０に進む。横拡大率が縦拡大率より小さくない場合には、ステップＳ２４０に進む。（ステップＳ２２０）
（４）画像作成手段１３０は、付箋画面データを横拡大率で拡大して、表示画像データを作成する。終了する。（ステップＳ２３０）
（５）画像作成手段１３０は、付箋画面データを縦拡大率で拡大して、表示画像データを作成する。終了する。（ステップＳ２３０）
【００４０】
図８は、画像の縮小処理のフローチャートである。
（１）付箋画面データの横が携帯画面の横幅に収まるか否かを判定する。付箋画面データが携帯画面の横幅に収まる場合には、ステップＳ３１０に進む。横幅に収まらない場合には、ステップＳ３１５に進む。（ステップＳ３００）
（２）画像作成手段１３０は、横圧縮率を「１」に設定する。ステップＳ３２０に進む。（ステップＳ３１０）
（３）画像作成手段１３０は、携帯の横幅に収める圧縮率（横圧縮率）を算出する。（ステップＳ３１５）
なお、横圧縮率の算出式は、「横圧縮大率＝表示の横寸法／付箋画面データの横長さ」である。
（４）付箋画面データの縦が携帯画面の縦高さに収まるか否かを判定する。付箋画面データの縦が携帯画面の縦高さに収まる場合には、ステップＳ３３０に進む。縦高さに収まらない場合には、ステップＳ３３５に進む。（ステップＳ３２０）
（５）画像作成手段１３０は、縦圧縮率を「１」に設定する。ステップＳ３４０に進む。（ステップＳ３３０）
（６）画像作成手段１３０は、携帯の縦高さに収める圧縮率（縦圧縮率）を算出する。
なお、縦圧縮率の算出式は、「縦圧縮大率＝表示の縦寸法／付箋画面データの縦長さ」である。
（７）横圧縮率 ≦ 縦圧縮率か否かを判定する。横圧縮率が縦圧縮率より小さい場合には、ステップＳ３５０に進む。横圧縮率が縦圧縮率より小さくない場合には、ステップＳ３５５に進む。（ステップＳ３４０）
（８）画像作成手段１３０は、付箋画面データを縦圧縮率で圧縮して、表示画像データを作成する。終了する。（ステップＳ３５０）
（９）画像作成手段１３０は、付箋画面データを横圧縮率で圧縮して、表示画像データを作成する。終了する。（ステップＳ３５５）
【００４１】
図９は、携帯電話３００の詳細な構成図である。
携帯電話３００は、ＣＰＵ３０１と、入力部３０２と、表示部３０３と、近距離無線通信部３０４と、記憶部３０９とを備える。
【００４２】
ＣＰＵ３０１は、中央演算処理装置である。
入力部３０２は、ボタンキーやタッチペンや表示部３０３を用いたソフトキーボードである。
表示部３０３は、ＬＣＤ（液晶表示デバイス）やＥＬ（有機エレクトロルミネッセンス）ディスプレーである。
【００４３】
近距離無線通信部３０４は、近距離無線送受信装置である。
近距離無線通信部３０４は、他の近距離無線通信部が送信する無線電波を受信して、近距離無線通信路を開設する。
近距離無線通信部３０４は、アンテナ３０５を有する。
近距離無線通信部３０４は、受信した電磁波（＝無線電波）を復調して、制御信号を取り出す。あるいは、電磁波を送出するための搬送波を発生させ、デジタル情報を電波に変換する。
アンテナ３０５は、無線電波を送受信する。
なお、無線電波の近距離無線通信規格は、IEEE802.15、IEEE802.11、ISO/IEC 21481などを用いる。
【００４４】
記憶部３０９は、半導体メモリや磁気メモリである。
記憶部３０９は、表示画像データを記憶する表示画像記憶エリア３０９ａを備える。
記憶部３０９は、機種情報３９５を記憶する。
機種情報３９５は、携帯端末装置３００の機種を特定する情報である。
【００４５】
このほかに、機種情報送信手段３１０と、表示画像受信手段３２０と、画像表示手段３３０と、を備える。これらの各手段は、それぞれの専用プログラムによって実現され、専用プログラムがＣＰＵ３０１に解釈・実行されることによって機能する。
【００４６】
機種情報送信手段３１０は、近距離無線通信接続した情報処理装置１００（たとえば、パーソナルコンピュータ）に機種情報３９１を送信する
表示画像受信手段３２０は、近距離無線通信接続した情報処理装置１００が送信する表示画像データを受信する
画像表示手段３３０は、表示画像データを表示部３０３に表示する。
【００４７】
（実施例）
次に、パーソナルコンピュータのデスクトップ画面の指定した部分領域を携帯端末装置（たとえば、携帯電話）に配信する実施例を説明する。
【００４８】
図１０は、パーソナルコンピュータ１００のデスクトップ画面を説明する図である。
図１０の（ａ）には、パーソナルコンピュータ１００のデスクトップ画面１００ａが例示されている。
デスクトップ画面１００ａには、テキストや配信指示アイコン１ｂやカーソル１ｃや囲罫線１ｄなどが表示されている。
テキストは「Ａ社＝10:00、Ｂ社＝13:30、Ｃ社＝未定、Ｄ社＝未定」が割り付けたられた状態で表示されている。
囲罫線１ｄは、画面に表示されているテキストの中で「Ａ社＝10:00、Ｂ社＝13:30」の部分を矩形に囲んでいる。囲罫線１ｄは、たとえば、パーソナルコンピュータのマウス１０２とカーソル１ｃを用いて囲罫線の矩形の頂点を指定して描画すればよい。
配信指示アイコン１ｂは、図３の（ａ）の配信指示アイコン１ｂと同じである。
【００４９】
図１０の（ｂ）には、携帯端末装置３００の画面１９４ａが例示されている。
携帯端末装置３００の画面１９４ａは、表示画像データが表示されている。
表示画像データは、図１０の（ａ）にて説明したデスクトップ画面の囲罫線１ｄで囲まれた領域「テキスト（Ａ社＝10:00、Ｂ社＝13:30）が割り付けたられた状態のもの」が、携帯端末装置３００の画面の寸法に調整されたビットマップデータである。
【００５０】
図１１は、パーソナルコンピュータ１００の詳細な構成図である。
パーソナルコンピュータ１００は、ＣＰＵ１０１と、入力部１０２と、表示部１０３と、近距離無線通信部１０４と、記憶部１０９とオペレーティングシステムと専用プログラムを備える。
【００５１】
オペレーティングシステムは、アプリケーションプログラム（たとえば、専用プログラム）の動きを補助するプログラムである。アプリケーションプログラムの起動や、アプリケーションプログラムが関数を呼び出すときの仲介などを行う。
【００５２】
ＣＰＵ１０１と、入力部１０２と、表示部１０３と、近距離無線通信部１０４と、記憶部１０９と、は、図５のパーソナルコンピュータで説明したＣＰＵ１０１と、入力部１０２と、表示部１０３と、近距離無線通信部１０４と、記憶部１０９と、同じハードウエアで、同じ機能である。
【００５３】
記憶部１０９は、関数ライブラリ１９５と表示寸法情報１９７とを記憶する。
表示寸法情報１９７は、図５のパーソナルコンピュータで説明した表示寸法情報と同じである。
関数ライブラリ１９５は、オペレーティングシステムが備えている特定の処理を行う関数（＝コンピュータプログラム）の集合である。この関数は、記憶部１０９の所定記憶領域に記憶されている。それぞれの関数は、表示部１０３に表示されたデスクトップ画面の表示データ取得や、表示データの加工などの処理を行う。
【００５４】
このほかに、画面配信指示手段１１５と、画像切取手段１１０と、機種情報受信手段１５０と、表示寸法抽出手段１２０と、画像作成手段１３０と、表示画像送信手段１４０と、を備える。これらの各手段は、それぞれの専用プログラムとして実現され、専用プログラムがＣＰＵ１０１に解釈・実行されることによって機能する。
【００５５】
画面配信指示手段１１５は、切取画面配信指示の入力を受け付ける。
【００５６】
画像切取手段１１０は、関数ライブラリ１９５の関数を用いて、表示部１０３に表示されたデスクトップ画面に対して、入力部１０２から入力された領域座標情報と、配信指示アイコン１ｂを用いて入力された配信指示を受け付けて、受け付けた領域座標情報に対応するデスクトップ画面部分を切り取って切取画面データを作成する。
すなわち、画像切取手段１１０は、最初に、デスクトップ識別情報取得関数９１を呼び出して、デスクトップを識別する情報を取得し、
次に、素材データベース識別情報取得関数９２を呼び出して、デスクトップ識別情報取得関数９１から取得したデスクトップを識別する情報を引き渡し、デスクトップを構成する素材データを管理するデータベースの識別情報を取得し、
さらに、カーソル位置取得関数９３を呼び出して、デスクトップ画面の指定した領域に対して入力された座標情報を取得し、最後に、画像作成関数９４を呼び出して、素材データベース識別情報取得関数９２から取得したデスクトップを構成する素材データを管理するデータベースの識別情報と、カーソル位置取得関数９３から取得したデスクトップ画面に対して入力された指定領域の座標情報と、を引き渡し、デスクトップの指定した領域の画像を取得し、
画像作成関数９４から取得したデスクトップの指定した領域の画像を含む切取画面データを作成する。（詳細は後述する）
【００５７】
機種情報受信手段１５０は、近距離無線通信接続した携帯端末装置３００が送信した機種情報を受信する。（図５の機種情報受信手段１５０に同じ）
表示寸法抽出手段１２０は、機種情報受信１５０が受信した機種情報を用いて、記憶部１０９が記憶する表示寸法情報１９７を参照して、この受信した機種情報に関連付けられた表示寸法情報を抽出する。（図５の表示寸法抽出手段１２０に同じ）
【００５８】
画像作成手段１３０は、表示寸法抽出手段１２０が抽出した表示寸法情報を用いて、画像切取手段１１０が作成した切取画面データに対して、携帯画面に見やすく収まるように拡大または縮小して表示画像データを作成する。
【００５９】
表示画像送信手段１４０は、画像作成手段１３０が作成した表示画像データを近距離無線通信接続した携帯端末装置に送信する。（図５の表示画像送信手段１４０に同じ）
【００６０】
図１２は、関数ライブラリ１９５の例である。
図１２には、関数ライブラリ１９５が例示されている。
関数ライブラリ１９５は、デスクトップ識別情報取得関数９１と、素材データベース識別情報取得関数９２と、カーソル位置取得関数９３と、画像作成関数９４とを含んで構成されている。
デスクトップ識別情報取得関数９１は、デスクトップ（＝デスクトップウインドウ）の識別情報（＝ハンドル）を取得する関数である。
素材データベース識別情報取得関数９２は、表示領域を構成する素材データを管理するデータベース（＝デバイスコンテキスト）の識別情報を取得する関数である。
カーソル位置取得関数９３は、表示画面上でマウスのカーソル位置を取得する関数である。
画像作成関数９４は、表示領域の画像に対して指定した部分領域の画像を作成する関数である。
【００６１】
関数ライブラリ１９５は、たとえば、ＷＩＮ３２ＡＰＩ（登録商標）が提供するグラフィックス描画機能GDI（Graphics Device Interfaceの略。）の関数ライブラリ（gdi32.dll）を用いることができる。
このとき、デスクトップ識別情報取得関数９１は、「GetDesktopWindow関数」を用いて、素材データベース識別情報取得関数９２は、「 GetDC 関数」を用いて、カーソル位置取得関数９３は、「GetCursorInfo関数」を用いて、画像作成関数９４は、「BitBlt関数」を用いればよい。
【００６２】
図１３は、関数ライブラリの関数の動作手順を説明する図ある。
画面切取手段１１０は、デスクトップ識別情報取得関数９１「GetDesktopWindow関数」を呼び出し、デスクトップの識別情報（＝デスクトップウィンドウのハンドル。以下ｈＷｎｄ）を取得する（図１３（１））。
画面切取手段１１０は、素材データベース識別情報取得関数９２「 GetDC 関数」を呼び出し、デスクトップ識別情報取得関数９１から取得したｈＷｎｄを引き渡し、デスクトップ表示領域を構成する素材データを管理するデータベースの識別情報（＝デスクトップウィンドウのデバイスコンテキストのハンドル。以下ｈＤｃ）を取得する（同（２））。
画面切取手段１１０は、カーソル位置取得関数９３「GetCursorInfo関数」を呼び出し、表示画面上でマウスのカーソルが指定した座標情報「ｘｙ」を取得する（同（３））。
画面切取手段１１０は、画像作成関数９４「BitBlt関数」を呼び出し、素材データベース識別情報取得関数９２から取得したｈＤｃとカーソル位置取得関数９３から取得した座標情報「ｘｙ」を引き渡し、デスクトップの指定した領域の画像を取得する（同（４））。
【００６３】
図１４は、関数ライブラリを用いた画面切取手段の内部のフローチャートである。
（１）デスクトップ識別情報取得関数９１「GetDesktopWindow関数」は、デスクトップウィンドウのハンドルを取得する。（ステップＳ１０）
このときのプログラム記述例は、「 hWnd = GetDesktopWindow(VOID);」である。なお、プログラム記述例で用いた記号の意味は、以下のとおりである。
hWnd : デスクトップウィンドウのハンドル。
（２）素材データベース識別情報取得関数９２「 GetDC 関数」は、デスクトップ識別情報取得関数９１が取得したデスクトップウィンドウのハンドルを用いて、デスクトップウィンドウのデバイスコンテキストのハンドルを取得する。（ステップＳ１１）
このときのプログラム記述例は、「   hDC = GetDC(hWnd); 」である。なお、プログラム記述例で用いた記号の意味は、以下のとおりである。
hDC : デスクトップウィンドウのデバイスコンテキストのハンドル。
（３）カーソル位置取得関数９３「GetCursorInfo関数」は、切り取り画面の座標値を取得する。（ステップＳ１２）
このときのプログラム記述例は、「GetCursorInfo(&ci);  xl = ci.ptScreenPos.x  yl = ci.ptScreenPos.y  GetCursorInfo(&ci);  xr = ci.ptScreenPos.x  yr = ci.ptScreenPos.y」である。なお、プログラム記述例で用いた記号の意味は、以下のとおりである。
(xl,yl) : 切り取り矩形領域の角の座標（たとえば、左上）、
(xr,yr) : 切り取り矩形領域の対角の座標(たとえば、右下）、
ci : マウスカーソル情報を受け取る構造体。
（４）画像作成関数９４「BitBlt関数」は、素材データベース識別情報取得関数９２が取得したデスクトップウィンドウのデバイスコンテキストのハンドルと、カーソル位置取得関数９３が取得した切り取り領域座標と、を用いてデスクトップウィンドウの画像から切り取り領域の画像を切り取る。（ステップＳ１３）
このときのプログラム記述例は、「   BitBlt(bmp.Canvas.Handle   0,0, xr-xl,yl-yr,
hDC  xl,yl）」である。なお、プログラム記述例で用いた記号の意味は、以下のとおりである。
bmp.Canvas.Handle:切り取り画像データを保存する保存先デバイスコンテキスト、
0,0,：保存先座標、
xr-xl,yl-yr,：切り取り矩形領域の幅の値、高さの値。
（５）データ保存関数は、切り取った画像を保存する。終了する。（ステップＳ１４）
このときのプログラム記述例は、「  bmp.SaveToFile(“C:\test.bmp”); 」である。
なお、プログラム記述例で用いた記号の意味は、以下のとおりである。
test.bmp : 作成された切り取り画像データ。
【図面の簡単な説明】
【００６４】
【図１】本発明による表示画像配信システム１の概要を説明する図
【図２】表示画像配信システム１の大まかな処理の流れを説明図
【図３】情報処理装置１００の画面を説明する図
【図４】パーソナルコンピュータ１００の画面を携帯電話３００に配信する処理の流れを説明する図
【図５】パーソナルコンピュータ１００の詳細な構成図
【図６】画像作成処理のフローチャート
【図７】画像の拡大処理のフローチャート
【図８】画像の縮小処理のフローチャート
【図９】携帯端末装置３００の詳細な構成図
【図１０】（実施例）パーソナルコンピュータ１００のデスクトップ画面を説明する図
【図１１】（実施例）パーソナルコンピュータ１００の詳細な構成図
【図１２】（実施例）関数ライブラリ１９５の例
【図１３】（実施例）関数ライブラリの関数の動作手順を説明する図
【図１４】（実施例）関数ライブラリを用いた画面切取手段の内部のフローチャート
【符号の説明】
【００６５】
１  本発明による画像配信システム
１００  情報処理装置、パーソナルコンピュータ
１０４  近距離無線通信部
１１０  画像切取手段
１１５  画面配信指示手段
１２０  表示寸法抽出手段
１３０  画像作成手段
１４０  表示画像送信手段
１５０  機種情報受信手段
１６０  付箋画像作成手段
１６５  付箋配信指示手段
１９５  関数ライブラリ
１９７  表示寸法情報
３００  携帯端末装置、携帯電話
３０４  近距離無線通信部
３１０  機種情報送信手段
３２０  表示画像受信手段
３３０  画像表示手段
３９５  機種情報
【図１】
2009194478.tif 000003
【図２】
2009194478.tif 000004
【図３】
2009194478.tif 000005
【図４】
2009194478.tif 000006
【図５】
2009194478.tif 000007
【図６】
2009194478.tif 000008
【図７】
2009194478.tif 000009
【図８】
2009194478.tif 000010
【図９】
2009194478.tif 000011
【図１０】
2009194478.tif 000012
【図１１】
2009194478.tif 000013
【図１２】
2009194478.tif 000014
【図１３】
2009194478.tif 000015
【図１４】
2009194478.tif 000016